Podtech/llm-jp-corpus-v4-ja_patent huggingface dataset:
(57)【要約】      （修正有）【課題】電界も磁界も適切にシールドしてスキミングを防止でき、かつカードの生産に際し反りが生じず、輪転機で合紙可能なスキミング防止カードを提供する。【解決手段】輪転機で合紙可能なスキミング防止カードが、エンボス加工によりヘアライン模様の施されたアルミフィルム１と、前記アルミフィルムの両面に接着されたポリエチレンテレフタラート２と、からなること。その結果、生産効率が飛躍的に向上し、印刷の不具合も減少し、生産時間及びコストを大幅に削減することが可能となる。【選択図】図１
0003131087.tif 000002
【実用新案登録請求の範囲】
【請求項１】
エンボス加工によりヘアライン模様の施されたアルミフィルムと、
前記アルミフィルムの両面に接着されたポリエチレンテレフタラートと、
からなることを特徴とする、輪転機で合紙可能なスキミング防止用カード。
【考案の詳細な説明】
【技術分野】
【０００１】
本考案は、スキミング防止用カードに関する。
【背景技術】
【０００２】
従来、キャッシュカード等のカードは磁気カードが主に使用されている。また、近年のカード犯罪増加により、磁気カードに変わりＩＣカードが採用されてきている。
【０００３】
そして、そのようなカードに対するスキミングを防止するため、アルミフィルムをポリエチレンテレフタラート（ＰＥＴ）等で挟んだシートが開示されている（特許文献１参照）。
しかし、スキミングの防止には電界のシールドだけでなく磁界のシールドも必要となるのであり、アルミフィルムは磁界のシールドに適さないため、スキミングの防止には不十分である。
【０００４】
そこで、電界のシールド及び磁界のシールドも可能な、金属はくを備えたプラスチックフィルムが開示されており（特許文献２参照）、当該プラスチックフィルムを挟んだカードが、現在スキミング防止用カードとして最も広く利用されている。
【０００５】
【特許文献１】特開２００６−５３７６１（請求項）
【特許文献１】特開２００６−１１４６７９（請求項）
【考案の開示】
【考案が解決しようとする課題】
【０００６】
しかし、上記に示されたスキミング防止用カードは、その生産に際し輪転機による合紙に適さない、という大きな問題点があった。
すなわち、プラスチックフィルムとポリエチレンテレフタラート（ＰＥＴ）とを合紙する際には、プラスチックフィルムに張力をかける必要及び熱をかける必要があり、合紙されたシートに、大きな反りが生じてしまうという問題点があった。
【０００７】
そして、反りが大きいために、ロール状シートにして輪転機で合紙することが出来ず、適度な大きさのシート状に切断し、平版合紙するしかなかった。そのため合紙効率が大変悪く、大量生産に適さず、コストも高いものであった。
【０００８】
そこで、本考案は、電界も磁界も適切にシールドしてスキミングを防止でき、かつカードの生産に際し反りが生じず、輪転機で合紙可能なスキミング防止カードを提供することを目的とする。
【課題を解決するための手段】
【０００９】
前記目的を達成するため、本考案者は鋭意研究の結果、エンボス加工によりヘアライン模様を施されたアルミフィルムは、電界のみならず磁界も十分にシールドすること、かつ当該アルミフィルムは、ポリエチレンテレフタラート（ＰＥＴ）と合紙しても反りが殆ど生じないことを発見したものである。
【００１０】
そこで、本考案の輪転機で合紙可能なスキミング防止用カードは、エンボス加工によりヘアライン模様の施されたアルミフィルムと、前記アルミフィルムの両面（上面及び下面）に接着されたポリエチレンテレフタラートと、からなる。
なお、エンボス加工によりヘアライン模様を施されたアルミフィルムは、例えば東洋アルミニウム株式会社が電磁波防止用と全く無関係な冷蔵庫・看板・建築用装材などの表面材として生産しているものが利用可能である。
【００１１】
電界のシールド力に関し、エンボス加工によりヘアライン模様を施されたアルミフィルムが、金属はくを備えたプラスチックフィルムと同等以上の電界のシールド力を有することをＫＥＣ法により測定した結果を下記表１に示す。
【００１２】
0003131087.tif 000003
【００１３】
磁界のシールド力に関し、エンボス加工によりヘアライン模様を施されたアルミフィルムが、金属はくを備えたプラスチックフィルムと同等以上の磁界のシールド力を有することＫＥＣ法により測定した結果を下記表２に示す。
【００１４】
0003131087.tif 000004
このような効果は単なるアルミフィルムからは得られない効果であり、本考案の、輪転機で合紙可能なスキミング防止カードに最も適しているものである。
【考案の効果】
【００１５】
本考案は以上の構成を有するので、電界も磁界も適切にシールドしてスキミングを防止でき、かつカードの生産に際し反りが生じず、輪転機で合紙可能なスキミング防止カードを提供することができる。
その結果、生産効率が飛躍的に向上し、あとの工程の印刷の不具合も減少し、生産時間及びコストを大幅に削減することが可能となったものである。
【考案を実施するための最良の形態】
【００１６】
本考案の実施の形態の例を図面に基づいて説明する。
【００１７】
図１は、本考案の輪転機で合紙可能なスキミング防止カードを示す断面図である。
エンボス加工によりヘアライン模様を施されたアルミフィルム１は、電界のシールドのみならず磁界のシールドも可能となっているものである。厚さは12μm程度が好適である。そして、ポリエチレンテレフタラート（ＰＥＴ）２は、接着剤３により前記エンボス加工によりヘアライン模様を施されたアルミフィルム１と合紙されている。厚さは、125μm程度が好適である。
アルミフィルムを合紙する際には、張力をかける必要も熱をかける必要も生じないので、プラスチックフィルムと異なり反りが生じないものである。
【００１８】
本考案は以上の構成から、電界も磁界も適切にシールドしてスキミングを防止でき、かつカードの生産に際し反りが生じず、輪転機で合紙可能であるという、従来とは全く異なるスキミング防止カードを提供できるものである。
【図面の簡単な説明】
【００１９】
【図１】本考案の輪転機で合紙可能なスキミング防止カードを示す断面図である。
【符号の説明】
【００２０】
１  エンボス加工によりヘアライン模様を施されたアルミフィルム
２  ポリエチレンテレフタラート（ＰＥＴ）
３  接着剤
【図１】
0003131087.tif 000005
(57)【要約】      （修正有）【課題】子供がかるたやトランプで遊ぶ場合、他人に怪我をさせることなく、楽しむことができるカード取り具を提供する。【解決手段】アーム１の基部に握り部２を、先端にカードの抑え部３を設け、少なくともアーム１又は押さえ部３を軟質素材により形成し、上記抑え部３に吸盤４を装着して成り、アーム１とか抑え部３の柔軟性を利用して、吸盤４をカードに正確に当接させ、カード取りができるように構成する。【選択図】図１
0003131018.tif 000002
【実用新案登録請求の範囲】
【請求項１】
アームの基部に握り部を、先端にカードの抑え部を設け、少なくともアーム又は抑え部を軟質素材により形成し、上記抑え部に吸盤を装着したことを特徴とするカード取り具。
【考案の詳細な説明】
【技術分野】
【０００１】
本考案は子供が、かるたやトランプを取る場合に使用するカード取り具に関するものである。
【背景技術】
【０００２】
子供が幼稚園とか学校でかるた取りをする場合、数人が同時に同じかるたを取ろうとして、他人の手を強く叩いたり、爪で引っ掻いたりして、相手に怪我をさせることがあった。
【考案の開示】
【考案が解決しようとする課題】
【０００３】
本考案は、子供がかるたやトランプで遊ぶ場合、他人に怪我をさせることなく、楽しむことができるカード取り具を提供しようとするものである。
【課題を解決するための手段】
【０００４】
上記の目的を達成するために、請求項１の考案は、アームの基部に握り部を、先端にカードの抑え部を設け、少なくともアーム又は抑え部を軟質素材により形成し、上記抑え部に吸盤を装着したことを特徴としている。
【０００５】
上記請求項１のカード取り具は、子供がかるた取りをする場合、各自がこのカード取り具を持ち、読み上げられたカードを抑え部で叩き、吸盤により吸着されたカードを持ち上げて手元に取り寄せて遊ぶのである。このカード取り具は全体を軟質素材により形成する場合と、アームかカードの抑え部、又はアームと抑え部を軟質素材により形成する場合がある。
【考案の効果】
【０００６】
本考案の請求項１のカード取り具は、アームの先端の抑え部に吸盤を設けたから、この吸盤により所望のカードを吸着させ、手元に容易に取り寄せることができる。またカード取り具を使用するときは、他人の手を叩くことがないので、安心してカード取りを楽しむことができる。
【０００７】
このカード取り具の全体を軟質素材により形成するか、アームか抑え部、又はアームと抑え部を軟質素材により形成するときは、その柔軟性を利用して、吸盤をカードに正確に密着させることができる。また他人のカード取り具を叩いても衝撃が少なく、故障することもなく、カードを傷付けることもないので、安心して使用することができる。しかも弾性を有する発泡プラスチック板を打ち抜き加工により形成するときは、極めて容易に且つ安価に製作することができる。
【考案を実施するための最良の形態】
【０００８】
以下、図１、図２を参照して、請求項１の考案の実施形態を詳述する。図１はカード取り具の平面図であり、図２は同上側面図である。
【０００９】
このカード取り具は、弾性を有する発泡プラスチック板を打ち抜いて形成したものである。従ってアーム１と、基部の握り部２と、先端のカードの抑え部３が可撓性を有し、且つ厚み方向に十分な弾性を有している。上記抑え部３は手のひらの形状であり、中指の先端下面に吸盤４を固定しでいる。尚符号５はカードである。
【００１０】
この実施形態のカード取り具は、吸盤４を下向きにして握り部２を持ち、弾性を利用して、抑え部３によりカード５を軽く叩くときは、図２に鎖線で示すように、アーム１及び抑え部３が撓り、吸盤４がカード５の表面に密着し，カード５を吸着して確保することができる。しかも全体が軟質素材により形成されているため、カード取り具同士が衝突しても衝撃が少なく、怪我をするとか、カードを傷付けるとか、カード取り具を破損することもない。また手のひら状の抑え部３の先端、即ち中指の先端に吸盤４を取り付けたため、吸盤４を所望のカード５に正確に当接することができる。
【００１１】
上記実施形態のカード取り具は、全体を軟質素材により一体的に形成したが、図３及び図４に示すように、別々に形成したアーム１と握り部２と抑え部３を連結して形成する場合は、少なくともアーム１か抑え部３を軟質プラスチックにより中空成形し、その柔軟性、弾力性を利用してカード取りができるようにする。尚、吸盤４は、前記実施形態と同様に、抑え部３の先端に取り付けている。両実施形態における抑え部３は手のひら形状であるが、人差し指を突出し、その先端に吸着盤４を取り付けても良い。
【図面の簡単な説明】
【００１２】
【図１】本考案の実施形態を示すカード取り具の平面図である。
【図２】同上カード取り具の側面図である。
【図３】本考案の別の実施形態を示すカード取り具の平面図である。
【図４】同上カード取り具の一部縦断側面図である。
【符号の説明】
【００１３】
１      アーム
２      握り部
３      カード抑え部
４      吸  盤
５      カード
【図１】
0003131018.tif 000003
【図２】
0003131018.tif 000004
【図３】
0003131018.tif 000005
【図４】
0003131018.tif 000006
(57)【要約】【課題】少数本の縦桟と多数本の横桟とを組付けてなる格子状構造体として、縦桟と横桟の組付けを短時間に堅固に行うことができるものを提供する。【解決手段】両側壁１２の内側に組付けピン嵌入挟持用窪み条１３を有するとともに上下方向に横桟列設間隔をおいて、窪み条１３を横切って両側壁１２を貫通してのびる横桟支持穴１４を有する縦桟１１と、少なくとも両端部に直径方向に貫通する組付けピン嵌入穴１６を形成した横桟１６と、横桟１５の組付けピン嵌入穴１６が縦桟１１の窪み条１３間に整合する状態で、縦桟１１の窪み条１３間と横桟１５の組付けピン嵌入穴１６を通して挿入する組付けピン１７からなる。【選択図】図３
0003131017.tif 000002
【実用新案登録請求の範囲】
【請求項１】
両側壁の内側に間隔をおいて対向する一対の組付けピン嵌入挟持用窪み条を有するとともに該窪み条を同心的に横切って両側壁を貫通する横桟支持穴を長さ方向に間隔をおいて形成した中空の縦桟の各横桟支持穴に、縦桟組付け部（少なくとも長さ方向の両端部）に直径方向に貫通する組付けピン嵌入穴を形成した横桟を挿入し、横桟の組付けピン嵌入穴が縦桟の窪み条間の空間部に整合する状態で支持し、縦桟の窪み条間の空間部と横桟の組付けピン嵌入穴を通して組付けピンを嵌入してなる格子状構造体。
【考案の詳細な説明】
【技術分野】
【０００１】
この考案は、目隠し、日よけなどの格子状構造体（面格子）、特に少なくとも二本のような少数本の縦桟と縦桟より多い本数の横桟を組付けてなる格子状構造体に関する。
【背景技術】
【０００２】
従来においては、この種の格子状構造体における縦桟と横桟の組付けは、溶接方式のほか、ねじ止め方式、止め具付きの掛止め方式、はめ込みと被覆キャップの固定方式などを介して行われている（例えば、特許文献１、２参照）。
【０００３】
しかしこれらの従来の格子状構造体における縦桟と横桟の組付け方式は、組付け個所の多さの点からも、その組付けに時間がかかり、組付けコストが高くつくという問題を有している。
【特許文献１】実開平５−７３１９２号公報
【特許文献２】実開平６−５６４７４号公報
【特許文献３】特開２０００−１３００４７号公報
【考案の開示】
【考案が解決しようとする課題】
【０００４】
この考案は、従来の格子状構造体における縦桟と横桟の組付け方式に認められる上記のような問題に鑑み、少数本の縦桟と多数本の横桟とを組付けてなる格子状構造体として、縦桟と横桟の組付けを短時間に堅固に行うことができるものを提供することを課題としている。
【課題を解決するための手段】
【０００５】
この考案によれば、上記の課題は、実用新案登録請求の範囲の請求項１に記載のように、両側壁の内側に間隔をおいて対向する一対の組付けピン嵌入挟持用窪み条を有するとともに窪み条を同心的に横切って両側壁を貫通する横桟支持穴を長さ方向に間隔（横桟列設間隔）をおいて形成した中空（管状）の縦桟の各横桟支持穴に、縦桟組付け部（少なくとも長さ方向の両端部）に直径方向に貫通する組付けピン嵌入穴を形成した横桟の縦桟組付け部を挿入して、横桟の組付けピン嵌入穴が縦桟の窪み条間の空間部に整合する状態で支持し、縦桟の窪み条間の空間部と横桟の組付けピン嵌入穴を通して組付けピンを嵌入してなる格子状構造体によって解決する。
【考案の効果】
【０００６】
請求項１に記載のこの考案に係る格子状構造体によれば、縦桟の横桟支持穴に対する横桟の挿入と縦桟の窪み条間の空間部と横桟の組付けピン嵌入穴に対する組付けピンの挿入という簡単な操作を介して、縦桟と横桟を組付けることができる。
【考案を実施するための最良の形態】
【０００７】
図面は、この考案に係る格子状構造体の好適な実施形態の要部を示したもので、縦桟１１は、両側壁１２の内側に皿形の組付けピン嵌入挟持用窪み条１３を有するアルミニウムの長方形の押出し型材からなっており、長さ（上下）方向に所定の横桟列設間隔をおいて、窪み条１３を同心的に横切って両側壁１２を貫通してのびる円形の横桟支持穴１４が形成してある。
【０００８】
横桟１５は、円形のアルミニウムパイプからなっており、少なくとも両端部に直径方向に貫通する円形の組付けピン嵌入穴１６が形成してある。
【０００９】
また組付けピン１７は、アルミニウムの円形バーからなっており、上端に、縦桟の上端等に係止するために用いるヘッド類（図示せず）を備えている。
【００１０】
この図示の格子状構造体は、縦桟１１の横桟支持穴１４に横桟１５を挿入した後、縦桟１１の窪み条１３の間の空間部に横桟１５の組付けピン嵌入穴１６を整合した状態で、これらの整合した窪み条１３間の空間部と組付けピン嵌入穴１６に組付けピン１７を挿入することにより、縦桟１１に横桟１５を組付けて形成する。
【００１１】
この考案の格子状構造体は、このほか、組付けピンの係止を、上端部に設けるヘッド類で縦桟の上端等に支持する形ではなく、縦桟の下端に底蓋を付設し、単に組付けピンの下端をこの底蓋に支持する形で行うなど、種々の形態で実施することができるもので、上記の形態に限定されるものではない。
【図面の簡単な説明】
【００１２】
【図１】この考案に係る格子状構造体の好適な実施形態の部分正面図である。
【図２】図１に示す実施形態の部分側面図である。
【図３】図１に示す実施形態の部分平面図である。
【符号の説明】
【００１３】
１１  縦桟
１２  側壁
１３  組付けピン嵌入挟持用窪み条
１４  横桟支持穴
１５  横桟
１６  組付けピン嵌入穴
１７  組付けピン
【図１】
0003131017.tif 000003
【図２】
0003131017.tif 000004
【図３】
0003131017.tif 000005
【手続補正書】
【提出日】平成19年2月19日(2007.2.19)
【手続補正１】
【補正対象書類名】実用新案登録請求の範囲
【補正対象項目名】請求項１
【補正方法】変更
【補正の内容】
【請求項１】
両側壁の内側に間隔をおいて対向する一対の組付けピン嵌入挟持用窪み条を有するとともに該窪み条を同心的に横切って両側壁を貫通する横桟支持穴を長さ方向に間隔をおいて形成した中空の縦桟の各横桟支持穴に、縦桟組付け部に直径方向に貫通する組付けピン嵌入穴を形成した横桟を挿入し、横桟の組付けピン嵌入穴が縦桟の窪み条間の空間部に整合する状態で支持し、縦桟の窪み条間の空間部と横桟の組付けピン嵌入穴を通して組付けピンを嵌入してなる格子状構造体。
(57)【要約】      （修正有）【課題】意図的な図柄の表出操作を施すことなく、趣きの異なる風合いや、独特の味わい或いは深みを表出することのできる畳縁を提供する。【解決手段】畳縁は、紡績糸からなる縦糸１と、該縦糸に織成される２本のモノフィラメント糸の横糸２、あるいは１本のモノフィラメント糸とマルチフィラメント糸の２本の横糸から成る。横糸のうち少なくとも１本の糸の色が、縦糸と異なっており、複数の横糸が、相互に異なる色からなる。【選択図】図１
0003131055.tif 000002
【実用新案登録請求の範囲】
【請求項１】
紡績糸からなる縦糸と、該縦糸に織成される２本のモノフィラメント糸の横糸、あるいは１本のモノフィラメント糸とマルチフィラメント糸の２本の横糸から成ることを特徴とする畳縁。
【請求項２】
上記横糸のうち少なくとも１本の糸の色が、上記縦糸と異なることを特徴とする請求項１に記載の畳縁。
【請求項３】
上記複数の横糸が、相互に異なる色からなることを特徴とする請求項１または２に記載の畳縁。
【考案の詳細な説明】
【技術分野】
【０００１】
本考案は、畳縁に関するものである。
【背景技術】
【０００２】
従来の畳縁は、モノフィラメント糸の縦糸および横糸から織成されたものや、綿糸から成る縦糸とモノフィラメント糸１本の横糸から織成されたものが大部分である。
【考案の開示】
【考案が解決しようとする課題】
【０００３】
しかしながら、上記従来のモノフィラメント糸の縦糸および横糸から織成された畳縁は、太さが一定の縦糸であるため、縦糸から作り出される縦スジに変化が無く、その結果、地模様が味気ないものとなっていた。
また、綿糸から成る縦糸とモノフィラメント糸１本の横糸から織成された畳縁は、縦スジに変化は有るが、横糸から作り出される横スジに変化がなく、その結果、味わいや深みのないものとなっていた。
【０００４】
本考案は，上記従来の問題点を解決するためになされたもので、その目的とするところは、意図的な図柄の表出操作を施すことなく、従来品とは趣きの異なる風合いや、独特の味わい或いは深みを表出することのできる畳縁を提供することにある。
【課題を解決するための手段】
【０００５】
本考案の畳縁は、紡績糸からなる縦糸と、該縦糸に織成される２本のモノフィラメント糸の横糸、あるいは１本のモノフィラメント糸とマルチフィラメント糸の２本の横糸から成ることを特徴とする。また、上記横糸のうち少なくとも１本の糸の色が、上記縦糸と異なることを特徴とする。さらに、上記複数の横糸が、相互に異なる色からなることを特徴とする。
【考案の効果】
【０００６】
本考案の畳縁は、紡績糸からなる縦糸の不均一な糸の径（太い・細い）が長手方向にランダムに変化する特徴により、隣接する縦糸との間隙がランダムに変化し、その結果、独特の風合いを表出することができると共に、該縦糸に織成される横糸に２本のモノフィラメント糸あるいは１本のモノフィラメント糸とマルチフィラメント糸を使用することにより、上記独特の風合いを表出する縦糸と相まって、味わいや深みのある畳縁を提供することができる。
【考案を実施するための最良の形態】
【０００７】
以下、本考案の実施例について図面を参照しながら説明する。
図1において、１は、畳縁の長手方向に延びる紡績糸からなる縦糸であって、これに横糸２が平織り組織を構成するように織り込まれる。本考案の畳縁の織り組織は、平織りに限定するものではなく、従来公知の織物組織のいずれでもよい。
【０００８】
上記縦糸１の紡績糸は、不均一な径（太い・細い）が長手方向にランダムに変化することが特徴である。紡績糸としては、綿糸が好ましいが、これに限定するものではなく、ウール、カシミヤ、モヘヤ、キャメル、レーヨン、麻及びこれらの混紡糸のいずれでもよい。
【０００９】
一方、上記横糸２は、例えば、ポリエステル、ナイロン６、ナイロン６６、ポリビニールアルコール、ポリエチレンテレフタレート、ポリアクリロニトリル、ポリエチレン、ポリプロプレン,およびこれらの共重合体などの合成ポリマー、レーヨン、キュポラ、アセテート、トリアセテート等の再生または半合成ポリマーなどの有機ポリマーから成る合成繊維のモノフィラメント糸を２本引き揃えて、上記縦糸１に織り込まれる。
【００１０】
図２から明らかなように、上記縦糸１は、不均一な径（太い・細い）が長手方向にランダムに変化する紡績糸を使用するので、隣接する縦糸の間隙がランダムに変化する。上記横糸２の色を、縦糸１の色とは違う色にすることにより隙間の変化、すなわち縦スジが目立つようになる。
例えば、縦糸１に黒色の綿糸を使用する場合、少なくとも１本の横糸２ａの色を黄色にすると、黒色の縦糸１間の隙間に黄色の横糸２ａが浮かび上がり、縦糸１の隙間の変化が目立つようになる。従って、縦糸糸１と横糸２ａの色は、相互に反対色（補色）を使用するのが好ましい。
【００１１】
また、引き揃えた２本の横糸２ａ、２ｂが交互に隣接するとは限らないので、図３に示すように、２本の横糸２ａ、２ｂの色を相互に異なる色にすることにより、同色の横糸２ａ，２ａあるいは２ｂ、２ｂ同士が隣接する部分がランダムに生じて、独特の風合いの横スジが表出され、上記縦スジの風合いと相俟って、味わいや深みのある畳縁を織り出すことができる。
【００１２】
上記実施例では、横糸２としてモノフィラメント糸を２本引き揃えて使用したが、１本のモノフィラメント糸とマルチフィラメント糸からなる２本の引き揃え糸の組み合わせであってもよい。このように横糸２にマルチフィラメント糸を使用することにより、縦糸１の目ずれを防止することができる。
【図面の簡単な説明】
【００１３】
【図１】本考案の畳縁の一実施例を示す組織図およびその部分拡大図である。
【図２】図１の畳縁の縦糸のみを示す説明図である。
【図３】図１の畳縁の横糸のみを示す説明図である。
【符号の説明】
【００１４】
１    縦糸
２、２ａ、２ｂ  横糸
【図１】
0003131055.tif 000003
【図２】
0003131055.tif 000004
【図３】
0003131055.tif 000005
(57)【要約】【課題】着座時に人体の姿勢を正しく保ち、腰部及び内臓にかかる負担を軽減し、かつ腰痛に良いとされる腰部のツボに適度な刺激を与える機能を備え、視覚的にも楽しめる製品を提供することである。【解決手段】球体の発砲スチロールの大２個と小１個の芯材と、芯材と芯材の隙間を埋める綿と、芯材と綿を包むぬいぐるみ形状の布地、皮革からなり、大きい球体２個が腎愈、志室を押圧するよう配置され人体の腰部に固定するための着脱可能で長さを調節できるベルトを装着した構成とする。【選択図】図６
0003131063.tif 000002
【実用新案登録請求の範囲】
【請求項１】
球体の発砲スチロールを芯材とし、芯材と芯材の隙間に綿を入れ、かつ着脱及び長さを調節することが可能なベルトでできた腰仙部サポートベルト。
【請求項２】
芯材と、芯材と芯材の隙間の綿は、ぬいぐるみの形状の布地、皮革に覆われていることを特徴とする、請求項１に記載の腰仙部サポートベルト。
【請求項３】
芯材の発砲スチロールは大きい球体２個とその間に小さい球体１個を連ねて配置され、大きい球体が志室と腎愈を押圧するよう構成された請求項１に記載の腰仙部サポートベルト。
【考案の詳細な説明】
【技術分野】
【０００１】
本考案は、椅子への着座時に腰椎を中心に腰部に当てることで姿勢矯正をし腰部及び内臓への負担を軽減する健康器具で、かつ形状をぬいぐるみにしたものである。
【背景技術】
【０００２】
現代人は、長時間の車の運転やパソコン作業及び事務作業などで椅子に着座する機会が多いが、その反面正しい姿勢を保つことに必要な筋肉を作り上げるための時間は減っている。姿勢を保つための筋肉がじゅうぶんに作り上げられていない状態での長時間の椅子への着座は、腰部への負担も大きく疲労により腰を丸めた姿勢になりがちで、腰を丸めることで腰椎の関節は引き離され筋肉や靭帯が緊張し腰痛を引き起こし、内臓にも負担がかかる。
【０００３】
従来、腰痛の軽減のための器具は形状がいかにも健康器具らしく、飾り気及びかわいらしさのないものであった。女性において顕著にいえることだが、飾り気及びかわいらしさのない健康器具をオフィスに持込み使用することに抵抗があるという問題点があった。
【非特許文献１】芹澤勝助著  「ツボ療法大図鑑」リヨン社  １９９５年
【考案の開示】
【考案が解決しようとする課題】
【０００４】
本考案の課題は、上述した問題点を解決するため、着座時に腰部への負担を軽減し、姿勢矯正、そして腎愈と志室を押圧することで腰痛を予防、軽減しながら、かつ見た目もかわいくした製品を提供することである。
【課題を解決するための手段】
【０００５】
本考案は、上述した課題を解決するため、発砲スチロールの大きい球体である芯材２個とその間の小さい球体である芯材１個を連ねて配置し、隙間には綿を入れ、前述の大きい球体２個は腎愈と志室を押圧するよう配置され、大きい球体２個の間の小さい球体は腰椎に大きい球体が当たらないために配し、形状をぬいぐるみにした構成による腰仙部サポートベルト。
【考案の効果】
【０００６】
長時間腰を丸くする座り方は、肛門がふさがり、腰椎の関節間が離れ、筋肉や靭帯が緊張し負担がかかることにより腰や背中を痛める。
【０００７】
上述とは逆に、臀部を後ろに突き出すようにして椅子に座り、腰を臀部の上に立てるように少しそるように座ると腰椎の関節間が狭く、かつ揃うことにより筋肉や靭帯の負担が軽くなる。
【０００８】
ところが、腰を少しそるような座り方を長時間保つことは、疲れているときや腰部を痛めているときには努力を要する。
【０００９】
本考案は、腰椎の形状に沿うよう構成されており、装着して座ることにより椅子の背もたれと人体との間に距離ができ、それによって腰が少しそる姿勢を長時間持続できるという効果がある。
【００１０】
さらに、２個の大きい球体が腰椎の中央から指２本分離れたところにある腰痛に良いとされるツボの腎愈と指４本分離れたところにある志室を押圧するよう配置されている。
【００１１】
なおかつ、形状をぬいぐるみにすることにより職場や家庭、車中へ持ち運び使用する際、装飾的に観賞に耐え得るものであり、楽しむ効果がある。
【考案を実施するための最良の形態】
【００１２】
本考案は発砲スチロールの大小の球体である芯材と隙間を埋める綿と、芯材と綿を包むぬいぐるみ形状の布地、皮革からなり、大きい球体２個が腎愈、志室を押圧するよう配置され人体の腰部に固定するためのベルトを装着した構成とする。
【実施例】
【００１３】
発砲スチロールの大小の球体である芯材と隙間を埋める綿と、芯材と綿を包むぬいぐるみ形状の布地、皮革からなり、図４の大きい球体４が図５の腎愈９、志室８を押圧するよう配置され人体の腰部に固定するためのベルト１を装着した。
【図面の簡単な説明】
【００１４】
【図１】考案品の側面図
【図２】考案品の下面図
【図３】考案品の上面図
【図４】考案品の断面図
【図５】考案品の使用状態を表す部分概略図
【図６】考案品の使用状態を表す部分外略図
【符号の説明】
【００１５】
１    ベルト
２    留め具
３    ぬいぐるみ形状本体
４    球体発泡スチロール大
５    球体発泡スチロール小
６    綿
７    腰椎
８    志室
９    腎愈
１０    椅子
【図１】
0003131063.tif 000003
【図２】
0003131063.tif 000004
【図３】
0003131063.tif 000005
【図４】
0003131063.tif 000006
【図５】
0003131063.tif 000007
【図６】
0003131063.tif 000008
(57)【要約】      （修正有）【課題】数字入力効率が向上するテンキー装置とノートパソコン本体部のキーボードの同時使用を行い、またテンキー装置の未使用時にはノートパソコン本体部の中の空間を大幅に設けることなく収納可能とした、一体化されたテンキー装置とノートパソコン装置を提供する。【解決手段】効率的な数字入力を要する時は、ノートパソコン装置１との無線接続が可能な無線式テンキー装置７を使用し、数字入力を特に要しない時など無線式テンキー装置の未使用時には、ノートパソコン装置１のノートパソコン本体部３の上面に設けられたテンキー装置収納部６に、無線式テンキー装置７の下面を上向きに反転し収納することで解決する。【選択図】図１
0003131028.tif 000002
【実用新案登録請求の範囲】
【請求項１】
ノートパソコン本体部上面に、無線式テンキー装置を裏返し収納できるテンキー収納スペースが設けられていることを特徴とする、無線式テンキー装置収納型ノートパソコン装置。
【考案の詳細な説明】
【技術分野】
【０００１】
本考案は、ノートパソコン装置に関するものである。
【背景技術】
【０００２】
数字入力の際、ノートパソコン本体部のキーボードは横一列に配列にされているため、速い数字入力は困難である。
【０００３】
数字入力効率を向上させるため、狭小なノートパソコン本体部にテンキーを追加すると、既存のノートパソコン本体部のキーボード入力時に、追加したテンキーと接触してしまい、誤入力してしまう欠点がある。
【０００４】
上記の理由から追加したテンキーに保護カバーなどの対策を講じた場合、既存のノートパソコン本体部のキーボードと、追加したテンキーを相互使用する際、頻繁に保護カバーの開閉をする必要があり利便性が低い。
【０００５】
また、ノートパソコン本体部の側面または正面からテンキー装置を挿入する構造の場合では、ノートパソコン本体部の中にテンキー装置収納部を設ける必要性があり、ノートパソコン本体部の中の空間が大幅に縮小されるため、ノートパソコン本体部の中の部品構成に不自由が生じる。
【０００６】
一般的には、ノートパソコン装置にテンキー装置を外部接続することで解決しているが、機能の一体化を目的としているノートパソコン装置の目的から外れ携帯移動性にも欠ける。
【考案の開示】
【考案が解決しようとする課題】
【０００７】
解決しようとする問題点は、第一にノートパソコン本体部にテンキーを追加した場合、既存のノートパソコン本体部のキーボードと相互使用する上での煩わしさであり、第二にテンキー装置収納部をノートパソコン本体部の中に配置した場合、ノートパソコン装置の構成部品の内部配置空間の大幅な縮小、第三に外部接続式のテンキー装置を用いた場合にノートパソコン装置との一体性が失われる点である。
【課題を解決するための手段】
【０００８】
本考案は、ノートパソコン本体部上面にテンキー装置収納部を設け、ノートパソコン装置との無線接続が可能な無線式テンキー装置の下面を上に反転させ、テンキー装置収納部に収納することでノートパソコン装置と無線式テンキー装置の一体化を最も主要な特徴とする。
【考案の効果】
【０００９】
本考案のノートパソコン装置は、無線式テンキー装置の使用時にテンキー装置収納部から取り出し、自由な位置で配置することができ、ノートパソコン本体部のキーボードと無線式テンキー装置のキーボードが、共に入力時に手を接触することなく使用できる。
【００１０】
ノートパソコン本体部のキーボードのみ使用する場合は、テンキー装置収納部に無線式テンキー装置の下面を上に反転し収納することで、無線式テンキー装置のキーボードが隠れることにより、ノートパソコン本体部のキーボード入力時に手が接触しない。
【００１１】
前記の通り、ノートパソコン装置に無線式テンキー装置が収納できるため、一体化を保ったまま容易に携帯移動が可能となる。
【００１２】
なお、ノートパソコン本体部の側面または正面からテンキー装置を挿入する構造と比較した場合、ノートパソコン本体部の中の空間を確保する事が可能なため、ノートパソコン装置を構成するための部品を容易に内部配置できる。
【実施例１】
【００１３】
図１のノートパソコン装置は、本考案のノートパソコン装置の一例を示したものである。このノートパソコン装置１は、ディスプレイ部２とノートパソコン本体部３とから概略構成されている。これらディスプレイ部２とノートパソコン本体部３とは、連結装置を用いて折り畳み自在に連結されている。
【００１４】
前記ノートパソコン装置１は無線式テンキー装置７のキーボードの入力情報を無線信号にて受信できる。図２はテンキー装置収納部６から無線式テンキー装置７を取り出し、無線通信が可能な状態にて配置した図である。
【００１５】
テンキー装置収納部６の配置位置に指定はないが、ノートパソコン本体部のキーボード４の手前、またはノートパソコン本体部のポインティングデバイス５の横に配置することが好ましい。
【００１６】
無線式テンキー装置７の未使用時は下面を上に反転し、テンキー装置収納部６に収納する。また、一般的にテンキーは縦の寸法が長いため、無線式テンキー装置の収納時は横向きでの収納が好ましい。
【図面の簡単な説明】
【００１７】
【図１】本考案ノートパソコン装置の一例を示した概略構成図である。（実施例１）
【図２】無線式テンキー装置とノートパソコン装置との使用例を示した説明図である。
【図３】無線式テンキー装置をテンキー装置収納部への収納する例を示した説明図である。
【図４】上記、図３の収納例をＸ−Ｘ断面に示した説明図である。
【符号の説明】
【００１８】
１    ノートパソコン装置
２    ディスプレイ部
３    ノートパソコン本体部
４    ノートパソコン本体部のキーボード
５    ノートパソコン本体部のポインティングデバイス
６    テンキー装置収納部
７    無線式テンキー装置
７ａ  無線式テンキー装置のキーボード
【図１】
0003131028.tif 000003
【図２】
0003131028.tif 000004
【図３】
0003131028.tif 000005
【図４】
0003131028.tif 000006
(57)【要約】  【課題】  押圧板に対する把手の取り付け角度を変更可能として使い勝手の良い締め固め具を提供する。  【解決手段】  所定の大きさの押圧板２の中心部を挟んで立設した一対の角度調整板５間に把手４を嵌入してその先端部をボルト・ナット７にて締結する。また、角度調整板５には前記ボルト・ナット７の締結部を中心とした所定の半径線上に複数の透孔８を穿設しておく。そして、前記任意の透孔８と把手４に穿設した透孔とを合致させてボルト・ナット９にて締結することで把手４の取り付け角度を変更できるようにする。【選択図】  図１
0003131029.tif 000002
【実用新案登録請求の範囲】
【請求項１】
所定の大きさの押圧板の中心部を挟んで立設した一対の角度調整板間に把手を嵌入してその先端部を締結具にて締結すると共に、角度調整板には前記締結部を中心とした所定の半径線上に複数の透孔を穿設し、該任意の透孔と把手に穿設した透孔とを合致させて締結具にて締結することで把手の取り付け角度を変更自在としたことを特徴とする締め固め具。
【考案の詳細な説明】
【技術分野】
【０００１】
本考案は、地盤等を人力で打ち固める際に使用する締め固め具に関する。
【背景技術】
【０００２】
従来の人力で打ち固める締め固め具は、押圧板に垂直に把手を取りつけたものが知られており、作業者はこの締め固め具の把手を手で持って持ち上げ、押圧板を地盤に打ち付けることで締め固めを行っている。
【特許文献１】実用新案登録第３００３９８２号公報
【考案の開示】
【考案が解決しようとする課題】
【０００３】
しかしながら、従来の締め固め具は、水平な部分を打圧するには適しているが傾斜面を打圧するときなどは不向きである。
【０００４】
本考案は上記の点に鑑み、押圧板に対する把手の取り付け角度を変更可能として使い勝手の良い締め固め具を提供することを課題とする。
【課題を解決するための手段】
【０００５】
上記課題を解決するために、本考案の締め固め具は、所定の大きさの押圧板の中心部を挟んで立設した一対の角度調整板間に把手を嵌入してその先端部を締結具にて締結すると共に、角度調整板には前記締結部を中心とした所定の半径線上に複数の透孔を穿設し、該任意の透孔と把手に穿設した透孔とを合致させて締結具にて締結することで把手の取り付け角度を変更自在としたことを特徴としている。
【考案の効果】
【０００６】
本考案の締め固め具は、所定の大きさの押圧板の中心部を挟んで立設した一対の角度調整板間に把手を嵌入してその先端部を締結具にて締結すると共に、角度調整板には前記締結部を中心とした所定の半径線上に複数の透孔を穿設し、該任意の透孔と把手に穿設した透孔とを合致させて締結具にて締結することで把手の取り付け角度を変更自在としたので、傾斜面を打圧するときなどは把手の取り付け角度を適宜に変更することで使い勝手を良くすることができる。
【考案を実施するための最良の形態】
【０００７】
本考案の締め固め具にあっては、所定の大きさの押圧板の中心部を挟んで一対の角度調整板を立設し、該角度調整板間に把手を嵌入してその先端部を締結具であるボルトにて締結している。また、角度調整板には前記ボルト締結部を中心とした所定の半径線上に複数の透孔を適宜間隔で穿設し、該任意の透孔と把手に穿設した透孔とを合致させて締結具であるボルトにて締結して把手を固定する。
【０００８】
このように、角度調整板に穿設した複数の透孔のいずれかにボルトを挿入して把手を固定することで、把手の取り付け角度を用途に応じて変更でき、使い勝手が良いものとできる。
【実施例】
【０００９】
以下、本考案の一実施例を図面に基づいて説明する。
【００１０】
締め固め具１は、所定の大きさ、例えば１６０ｍｍ〜２６０ｍｍ程度の略正方形の押圧板２を備えた本体３と、該本体３に着脱自在に取り付けた１０００ｍｍ程度の長さの把手４とから成り、重量は５〜８ｋｇ程度として人力で打圧するに適したものとしている。
【００１１】
前記本体３の押圧板２の上面には、その中心部を挟んで一対の角度調整板５を補強板６にて補強しながら平行に立設している。該角度調整板５は把手４を取り付けて固定するもので、把手４を一対の角度調整板５間に嵌入してその先端部を締結具であるボルト・ナット７にて締結している。
【００１２】
前記角度調整板５には、ボルト・ナット７による締結部を中心とした所定の半径線上にボルト挿入用の複数の透孔８を適宜間隔で穿設している。該透孔は、図示例では、角度調整板５の一端側から０度、３０度、６０度、９０度の箇所、及び他端側から１５度、４５度、７５度の箇所に設けている。
【００１３】
そして、使用用途に応じて、角度調整板５の任意の透孔８と把手４に穿設した透孔とを合致させてボルト・ナット９にて締結することで、押圧板２に対して把手４を所望の角度で取り付けて固定するようにしている。
【００１４】
このように、把手４の取り付け角度を変更できるので、傾斜面を打圧するときなどは把手４の取り付け角度を適宜に変更することで使い勝手を良くすることができる。
【図面の簡単な説明】
【００１５】
【図１】本考案に係る締め固め具の一実施例を示す正面図（ａ）及び側面図（ｂ）である。
【図２】図１（ａ）の要部の拡大図である。
【符号の説明】
【００１６】
１…締め固め具                    ２…押圧板
３…本体                          ４…把手
５…角度調整板                    ６…補強板
７、９…ボルト・ナット（締結具）  ８…透孔
【図１】
0003131029.tif 000003
【図２】
0003131029.tif 000004
(57)【要約】      （修正有）【課題】これらの欠点を除去するために考案されたものであり、湿気に強く、耐水性があり、しかも、堅牢であり、また、貼る際にも、極めて簡単できれいに貼れる御札を開発・提供する。【解決手段】表面に、文字、図形、記号等の表示を印刷した紙片１を設け、紙片の表面には透明の防水シート２で被覆し、紙片１の裏面には粘着糊層３を形成し、粘着糊層３に剥離シート４を設けた御札において、剥離シート４にカット線５を設け、カット線５により、剥離シート４を複数に分離した御札。【選択図】図３
0003131025.tif 000002
【実用新案登録請求の範囲】
【請求項１】
表面に、文字、図形、記号等の表示（Ｘ）を印刷した紙片（１）を設け、該紙片の表面には透明の防水シート（２）で被覆し、該紙片（１）の裏面には粘着糊層（３）を形成し、該粘着糊層（３）に剥離シート（４）を設けた御札において、該剥離シート（４）にカット線（５）を設け、該カット線（５）により、剥離シート（４）を複数に分離したことを特徴とする御札。
【考案の詳細な説明】
【技術分野】
【０００１】
この考案は、お守り札等の御札に関するものである。
【背景技術】
【０００２】
従来、お守り札等の御札は、家の柱や壁や扉等、あるいはキッチンやトイレ等に貼っておくものであるが、その素材は紙製であり、水、雨、湿気等には弱いものであり、しかも、このお守り札を貼る場合には、糊を付けなければならず、煩雑でもあった。
【０００３】
そこで、御札の表面を透明の防水シートでコーティンし、裏面には粘着糊層を形成し、該粘着糊層に剥離シートを設けたものが開発された。例えば、特許文献１のように。
【特許文献１】登録第３０８７６５７号実用新案
【０００４】
しかし、この考案は、御札の大きさによっては剥離シートを剥がす際に、完全に剥がすことは困難であり、手に粘着層が触れてしまい、貼った際に粘着効果が弱まってしまったり、剥がした剥離シートを再び粘着層に付けてしまい、剥がすと紙片本体に皺がよったりし、慣れない者にとっては、思わしいものではなかった。
【考案の開示】
【考案が解決しようとする課題】
【０００５】
そこでこの考案は、これらの欠点を除去するために考案されたものであり、湿気に強く、耐水性があり、しかも、堅牢であり、また、貼る際にも、極めて簡単できれいに貼れる御札を開発・提供するものである。
【課題を解決するための手段】
【０００６】
その手段としては、御札の表面を、透明なシートでコーティングし、堅牢とし、裏面には粘着糊を介して剥離シートを複数に分割して設けることにより、手がべとつかず貼れ、しかも、きれい、かつ、簡単に貼着できるに便利な御札である。
【考案の効果】
【０００７】
この考案によると、表面に、文字、図形、記号等の表示（Ｘ）を印刷した紙片（１）を設け、該紙片の表面には透明の防水シート（２）で被覆することにより、耐水性を有し、堅牢である。
【０００８】
そして、該紙片（１）の裏面には粘着糊層（３）を形成し、該粘着糊層（３）に剥離シート（４）を設けることにより、家屋の柱や壁には、剥離シート（４）を剥がして貼れば、粘着糊層（３）により付着でき、簡単に貼ることができる。
【０００９】
さらに、剥離シート（４）にカット線（５）が設けられているため、紙片（１）より剥離シート（４）を別けて剥離することができ、剥離シート（４）の上方を手で持ち、下方をの剥離シート（４′）を剥がし、剥がした部分の紙片（１）を柱等に貼り、柱等に貼った状態で残りの上方の剥離シート（４）を剥がして残りの部分を貼れば、きれいに、かつ、簡単に貼ることができる等有益なる効果を奏するものである。
【考案を実施するための最良の形態】
【００１０】
御札の表面を、透明なシートでコーティングし、裏面には粘着糊を介して剥離シートを分割して設けることにより、堅牢、かつ、きれいで、しかも、簡単に貼着できるに便利な御札である。
【実施例】
【００１１】
そこで、この考案の一実施例を図１、図２に従って説明すると、表面に、文字、図形、記号等の表示（Ｘ）を印刷した紙片（１）を設け、該紙片の表面には透明の防水シート（２）で被覆し、該紙片（１）の裏面には粘着糊層（３）を形成し、該粘着糊層（３）に剥離シート（４）を設けたことを特徴とする御札において、該剥離シート（４）にカット線（５）を設け、該カット線（５）により、剥離シート（４）を複数に分離したことを特徴とする御札から構成されるものである。
【００１２】
尚、表示（Ｘ）のうち、文字とは、例えば、梵字や宗教用語等の文字をいい、図形とは、例えば、神・仏等やそれらに付随する絵柄をいい、記号とは、例えば、印判による印影等をいう。
【００１３】
また、カット線（５）とは、紙片（１）に裏面の粘着糊層（３）を介して設けた剥離シート（４）を複数枚に分離するためのものであり、捲った剥離シート（４又は４′）のみが、該カット線（５）の部分で剥離されるものである。
【産業上の利用可能性】
【００１４】
この考案の御札の製造技術を確立し、実施販売をすることにより、産業上の利用可能性を有する。
【図面の簡単な説明】
【００１５】
【図１】この考案の一実施例を示す正面図である。
【図２】この考案の一実施例を示す背面図である。
【図３】この考案の使用状態を示す側面図である。
【符号の説明】
【００１６】
１  紙片
２  透明の防水シート
３  粘着糊層
４  剥離シート
４′剥離シート
５  カット線
Ｘ  表示
【図１】
0003131025.tif 000003
【図２】
0003131025.tif 000004
【図３】
0003131025.tif 000005
(57)【要約】      （修正有）【課題】可視外乱光に影響を受けない、室内使用遊戯等の保安用保安機器の開発。【解決手段】赤外線発光ダイオード２と赤外線受光トランジスター３を同一面に取り付け、発光ダイオードから照射した光が物体７に反射し、反射光を受光トランジスターで受光し物体検出距離調整可変抵抗器４で電気信号が出力されないように調整します。この状態で物体を取り除くと、出力コネクター５から電気信号が出力されます。物体からの反射光が検出されているときは出力信号は無しで、物体からの反射光が検出され無いとき出力に電気信号が出力されます。【選択図】図１
0003131005.tif 000002
【実用新案登録請求の範囲】
【請求項１】
赤外線発光ダイオードと赤外線受光トランジスターを同一面に装置し、一体の箱型ケースに組み込み、発光ダイオードから照射された赤外線光が物体に反射し、反射光を受光トランジスターで検出し、物体の有無を電気信号として出力するセンサーで、組み込み固定は粘着テープで組み込み機器に取り付け組み込みする、赤外線反射型光センサー。
【考案の詳細な説明】
【技術分野】
【０００１】  本考案は、室内で使用する遊戯機等の開閉部分に設置する保安機器に関する。
【背景技術】
【０００２】  従来の遊戯機等の開閉部分には、機械的スイッチを利用した保安機器を使用しているので、取り付け場所・位置に制限され取り付けに難しい面が多々あった。
【考案の開示】
【考案が解決しょうとする課題】
【０００３】  小型で取り付け場所・位置を自由にでき、可視光による外乱光に影響されない保安機器の開発。
【課題を解決するための手段】
【０００４】  ２赤外線発光ダイオードと３赤外線受光トランジスターを同一面に取り付け、２発光ダイオードから照射した光が７物体に反射し、反射光を３受光トランジスターで受光し４物体検出距離調整可変抵抗器で電気信号が出力されないように調整します、この状態で７物体を取り除くと、５出力コネクターから電気信号が出力されます。
７物体からの反射光が検出されているときは出力信号は無しで、７物体からの反射光が検出され無いとき出力に電気信号が出力されます。
【考案の効果】
【０００５】  機械的保安機器は取り付け場所・位置に制限されますが、本考案赤外線反射型光センサーは小型に造ることができ、取り付け場所・位置に制限されることもなく自由な場所・位置に６粘着テープで取り付け設置できます。
【産業上の利用可能性】
【０００６】  可視光による外乱光に影響されない、室内使用の遊戯機や各種自動販売機・各種扉・金庫・美術品等の保安管理用保安機器として使用できます
【図面の簡単な説明】
【０００７】
【図１】  本考案の外観斜視図
【符号の説明】
【０００８】  １  本体ケース
２  赤外線発光ダイオード
３  赤外線受光トランジスター
４  物体検出距離調整可変抵抗器
５  物体有無電気信号出力コネクター
６  取り付け固定用粘着テープ
７  検出物体
【図１】
0003131005.tif 000003
(57)【要約】      （修正有）【課題】ペンキ用手提げ缶等に装着して使用する従来の硬質性で高品質・高価格のカートリッヂに対し、その発想を転換して軟質性で薄い材質の安価な袋状の形態をなしたカートリッヂを提供する。【解決手段】薄くて柔らかく柔軟性に富む軟質性の材質の筒状の材料の下方部を絞り込み、その部分を圧縮密着させて袋状の形態をなさせる。この袋状の形態をなしたものを手提げ缶等に装着しペンキ等を注ぎ込む。これによって手提げ缶等とペンキの間に皮膜を張ったような状態が構成され、手提げ缶の内部にペンキが付着することが防止されるのである。また、柔らかく柔軟性に富む材質の袋の下部を絞り込む事によって、当該袋状の形態をなしたカートリッヂ内にペンキ等の内容物を注ぎ込むと、缶又は箱等の内部の形状に合わせ変幻自在な形に変形して適応する、ここを狙ってなされたものである。【選択図】図２
0003131004.tif 000002
【実用新案登録請求の範囲】
【請求項１】
従来の硬質性の高価で高品質なカートリッヂの発想を転換し、惜しみなく使い捨て出来るよう安価にするため、柔らかく柔軟性に富む筒状の材料の下方部分を絞り込み、ここを圧蜜圧着して内容物の漏出を防ぐと同時にこの部分を底部とし、缶又は箱等に装着してペンキ等の内容物を投入した場合に缶又は箱等の内部の形状に合わせて、変幻自在に形を変えて適応することを狙いとしてなされた、軟質性の材料で薄い材質の袋状の形態をなしたカートリッヂ。
【考案の詳細な説明】
【技術分野】
【０００１】  本考案は、手提げ缶内部にペンキが付着することを防ぐため、手提げ缶とペンキの間に皮膜を設けたいと考え、その皮膜の代替として薄くて軟質性の材質で構成された、袋状をなしたカートリッヂによって、これを補おうと考案したものである。
【背景技術】
【０００２】  従来は、手提げ缶にペンキ等の付着を防止するため、缶の内部に硬質性で構成されたカートリッヂを装着してこれを行っている。
しかしながら、従来の硬質性のカートリッヂは材料を多く使っていることから、丈夫で高品質ではあるが高価すぎて、これを使う利用者側の経済的負担が非常に大きしているのである。【０００３】  そもそもカートリッヂの役割とは、手提げ缶内部にペンキ等が付着することを防ぐための作用のみを行うもので、その時々に使用した色毎に使い捨てされるものであり、複数回にわたって使用できるものではないため、優良品質を求めるものでは決してないのである。
【考案の開示】
【考案が解決しようとする課題】
【０００４】  これには次のような問題点があった。【０００５】  そもそもカートリッヂとは、使い捨てされることがその使命であるが、従来のカートリッヂでは、材料を多く使い、分厚く且つ丈夫に作られているため、値段が高く工事関係者の利益を圧迫し、また、高価なため使い捨てには不向きである。
なお、生産販売者側には多大な利益を齎すが、購入使用者側には大きな経済的負担を強いているのが現在の状況である。【０００６】  本考案は、以上のような欠点を正すためになされたものである。
【課題を解決するための手段】
【０００７】従来の硬質性の高価で高品質なカートリッヂの発想を転換し、惜しみなく使い捨て出来るよう安価にするため、柔らかく柔軟性に富む筒状の材料の下方部分を絞り込み、ここを圧蜜圧着して内容物の漏出を防ぐと同時にこの部分を底部とし、缶又は箱等に装着してペンキ等の内容物を投入した場合に缶又は箱等の内部の形状に合わせて、変幻自在に形を変えて適応することを狙いとした軟質性の材料で薄い材質の袋状の形態をなしたカートリッヂを考案したのである。
【考案の効果】
【０００８】  本考案の軟質性の材料で薄い材質の袋状の形態をなしたカートリッヂは、従来の硬質性カートリッヂと比べ、生産コスト及び、工事に係る平方メートル当たりのコスト、並びに使い捨てによって生じる消耗に係わるコスト等の低減を図ることが出来、これを利用して働く労働者に多くの利益を齎す事が出来るのである。【０００９】  本考案の軟質性の材料で薄い材質の袋状の形態をなしたカートリッヂを使用することによって、手提げ缶内部にペンキが付着する事を防ぐという、従来のカートリッヂと同様の効果を発揮すると同時に、安価であることを利点として惜しむことなく使い捨てが出来るのである。
【考案を実施するための最良の形態】
【００１０】  以下、考案を実施するための最良の形態について説明する。
（図１）は本考案の正面図である。
（図２）は本考案の軟質性の材料で薄い材質の袋状の形態をなしたカートリッヂを、手提げ缶内に装着し、これにペンキ等を入れて拡がった状態を示した袋状の形態をなしたカーリッヂの正面斜視図である。【００１１】  （図１）の１は袋状の形態をなしたカーリッヂの折り返し部。折り返して手提げ缶等の縁を覆い、縁の汚れを防ぐものである。【００１２】  （図１）の２は袋状の形態をなしたカーリッヂの本体。袋状の形態をなしたカーリッヂでペンキ等の貯留槽である。【００１３】  （図１）の３は袋状の形態をなしたカーリッヂの下方部分を絞込み圧蜜密着部。この部分を絞り込んで圧蜜密着さ袋状の形態をなさしめる。
袋状の形態をなしたカーリッヂ内にペンキ等を注ぎ込んだ際、缶又は箱等の内部の形状に合わせ、変幻自在に形を変えて適応する事となることを狙いとして、柔らかく柔軟性に富んだ材料を使用するのである。
またこの絞込み圧蜜密着部はペンキ等の漏出を防ぐと同時に袋の底部を構成し、袋自体を安定させる役割を果たすのである。【００１４】  （図１）の４は袋状の形態をなしたカーリッヂの開口部。ペンキ等の注ぎ込み口である。
【図面の簡単な説明】
【００１５】
【図１】は本考案の正面図である。
【図２】は本考案の軟質性の材質の薄くて袋状の形態をなしたカーリッヂを手提げ缶等の内部に装着し、これにペンキ等を入れて拡がった状態を示した、薄い材質の袋状の形態をなしたカーリッヂの正面斜視図である
【符号の説明】
【００１６】  １  折り返し部
２  袋状の形態をなしたカーリッヂの貯留槽
３  絞込み圧蜜密着部
４  袋状の形態をなしたカーリッヂの開口部
【図１】
0003131004.tif 000003
【図２】
0003131004.tif 000004